(57)【要約】【課題】既に施工された本管を新しい本管に取り換える際、容易に本管と取付け管とを接続することができる支管、それを備えた排水配管構造および支管の接続方法を提供する。【解決手段】支管３０は、本管１０と取付け管とを繋ぐものである。支管３０は、孔６２が形成されたフランジ板６０と、管状体４０とを備えている。管状体４０は、フランジ板６０の孔６２の外周部分に繋がる第１開口部５０と、取付け管と接続される開口面５７を有する第２開口部５５と、第１開口部５０と第２開口部５５とを繋ぎ、筒状に形成された筒状部４３と、を有している。フランジ板６０の横断面は、本管１０の周方向Ａ１に沿った形状である。第２開口部５５の軸線Ｌ２とフランジ板６０の横断面に直交する方向Ｂ１とは略平行である。【選択図】図４
2014139386.tif 000002
【特許請求の範囲】
【請求項１】
本管と取付け管とを繋ぐ支管であって、
孔が形成されたフランジ板と、
前記フランジ板の孔の外周部分に繋がる第１開口部と、前記取付け管と接続される開口面を有する第２開口部と、前記第１開口部と前記第２開口部とを繋ぎ、筒状に形成された筒状部と、を有する管状体と、
を備え、
前記フランジ板の横断面は、前記本管の周方向に沿った形状であり、
前記第２開口部の軸線と前記フランジ板の横断面に直交する方向とは略平行である、支管。
【請求項２】
前記筒状部は湾曲している、請求項１に記載の支管。
【請求項３】
前記第２開口部は前記第１開口部よりも上に位置し、
側面視において、前記フランジ板の下端部から前記第２開口部の軸線までの距離は、前記第２開口部の開口面から前記第１開口部の軸線までの距離よりも長い、請求項１または２に記載の支管。
【請求項４】
請求項１〜３の何れか一つに記載の支管と、
下流に向けて下方に傾斜するように配置され、前記支管のフランジ板の下面に沿うように配置され、前記フランジ板の孔と繋がる孔が形成された本管と、
前記支管を介して前記本管と接続された取付け管と、
を備えている、排水配管構造。
【請求項５】
平面視において、前記支管の第２開口部の中心と前記取付け管の端面の中心との間に、前記本管の軸線が位置する、請求項４に記載の排水配管構造。
【請求項６】
前記第２開口部の軸線と前記本管の軸線とは略平行である、請求項４または５に記載の排水配管構造。
【請求項７】
前記支管の第２開口部と前記取付け管とを繋ぐ筒状の継手を備え、
前記継手は、
前記支管の第２開口部と接続された支管側開口部と、
前記取付け管と接続された取付け管側開口部と、
前記支管側開口部と前記取付け管側開口部とを繋ぐ継手筒状部と、
を備えている、請求項４〜６の何れか一つに記載の排水配管構造。
【請求項８】
請求項１〜３の何れか一つに記載の支管を使用して、本管および取付け管を接続する方法であって、
既存の本管の上にある土砂を取り除く工程と、
前記既存の本管から前記既存の本管に接続された取付け管の一部を切り離す工程と、
前記既存の本管を取り除き、新しい本管を配置する工程と、
前記新しい本管に形成された孔に、前記支管のフランジ板の下面を配置する工程と、
前記支管の第２開口部と筒状に形成された継手を接続し、前記継手と前記取付け管とを接続する工程と、
を行う、支管の接続方法。
【発明の詳細な説明】
【技術分野】
【０００１】
本発明は、支管、それを備えた排水配管構造および支管の接続方法に関する。
【背景技術】
【０００２】
従来から、各家庭の排水等を流すための排水配管構造が知られている。この種の排水配管構造は、地中に埋設されている。この排水配管構造は、各家庭の排水ますに接続された取付け管と、取付け管と接続され、かつ、各家庭からの排水等を集約する本管とで構成されている。この本管には、本管の中を流れる排水等が流れやすくなるように、勾配がつけられている。すなわち、この本管は、下流に行くほど下方に向かうような傾斜をつけて地中に配置されている。
【０００３】
排水配管構造の取付け管と本管とは、支管によって接続されている。この支管には様々なものがあり、例えば、特許文献１または２に記載された支管が挙げられる。特許文献１には、本管（下水道本管）の外面を覆う円弧状のスカート部と、スカート部と直交するように形成された受口とを備えた９０°支管が開示されている。一方、特許文献２には、本管（主管路）の開口部の周縁に係止される係止爪が設けられた支管が開示されている。
【先行技術文献】
【特許文献】
【０００４】
【特許文献１】実開平０２−８４０９４号公報
【特許文献２】特開２００７−１５４９４６号公報
【発明の概要】
【発明が解決しようとする課題】
【０００５】
ところで、地震等に起因する地盤変動により、排水配管構造の本管の勾配がなくなったり、本管に設けられた勾配が逆になる、すなわち、本管の傾斜が上流に行くほど下方に向かうようになるおそれがある。また、経年劣化等によって排水配管構造の本管が破損するおそれがある。このとき、本管の中を流れる排水等が下流方向に向かって流れにくくなるため、既に施工された排水配管構造の本管を新しい本管に取り換える必要がある。取り換えたい既存の本管を地中から取り出すためには、本管の上に覆われている土砂等を取り除くことによって、本管の上に空間を作らなければならない。この空間には、作業にかかる費用および作業にかかる時間を考慮すると、幅が狭い方が好ましい。すなわち、この空間には、平面視において、本管よりも多少広い大きさであることが好ましい。作業者は、このような幅が狭い空間の中で、既存の本管を新しい本管に取り換えなければならない。この既存の本管を新しい本管に取り換える手順としては、先ず、既存の取付け管の一部を切断して、既存の本管を既存の取付け管から切り離す。次に、既存の本管を空間から取り除き、新しい本管を空間内に設置する。そして、支管を介して新しい本管を既存の取付け管に取り付ける。この一連の作業は、幅が狭い空間内で行わなければならないため、その作業スペースには限りがあった。そのため、幅が狭い空間内に配置された新しい本管に、従来の引用文献１に記載されたような９０°支管を取り付けようとすると、支管の既存の取付け管との接続部分が上記空間の側面近傍に位置するため、支管に既存の取付け管を取り付けることが困難であった。
【０００６】
本発明は、かかる点に鑑みてなされたものであり、その目的は、既に施工された本管を新しい本管に取り換える際、容易に本管と取付け管とを接続することができる支管、それを備えた排水配管構造および支管の接続方法を提供することである。
【課題を解決するための手段】
【０００７】
本発明に係る支管は、本管と取付け管とを繋ぐものである。前記支管は、孔が形成されたフランジ板と、管状体とを備えている。前記管状体は、前記フランジ板の孔の外周部分に繋がる第１開口部と、前記取付け管と接続される開口面を有する第２開口部と、前記第１開口部と前記第２開口部とを繋ぎ、筒状に形成された筒状部と、を有している。前記フランジ板の横断面は、前記本管の周方向に沿った形状である。前記第２開口部の軸線と前記フランジ板の横断面に直交する方向とは略平行である。
【０００８】
本管内を流れる排水等が下流方向に流れにくくなると、既に地中に施工された本管（以下、既存の本管という。）を新しい本管に取り換える必要がある。このとき、既存の本管を取り出すために、本管の上の土砂等を取り除いて空間を作る必要があるが、この空間は、上述したように、平面視において、本管よりも多少広い大きさであることが好ましい。このような空間で既存の本管を新しい本管に取り換えたあと、従来の特許文献１に記載したような９０°支管を新しい本管に接続すると、９０°支管の取付け管との接続部分が上記空間の側面近傍に位置するため、９０°支管を取付け管に接続しにくくなる。しかし、本発明の支管を新しい本管に接続した場合、支管の第２開口部の軸線とフランジ板の横断面に直交する方向とは略平行であるため、支管の第２開口部の開口面は、本管の長さ方向に向いている。そのため、取付け管と接続される第２開口部の開口面は、上記空間の側面に向かうような位置にはならない。よって、支管と取付け管との接続が容易となる。したがって、既存の本管を新しい本管に取り換える作業を容易に行うことができる。
【０００９】
本発明の好ましい一態様によれば、前記筒状部は湾曲している。
【００１０】
このように、第１開口部と第２開口部とを繋ぐ筒状部は湾曲しているため、筒状部の内部は滑らかになっている。そのため、本発明の支管は、屈曲した筒状部を有する支管と比べて、支管の中を流れる排水等が流れ易くなる。また、本発明の支管の筒状部が湾曲しているため、支管は撓り易い。そのため、支管を取り換えるとき、その撓りを利用して本管等から取り外すこと、および、本管等に接続することができる。また、取付け管、支管および本管内の維持管理を行う際、維持管理用具を取付け管、支管および本管に挿入して内部を確認することがある。このとき、支管の筒状部が湾曲しているため、支管内で維持管理用具が引っ掛かることを防ぐことができ、維持管理用具の挿抜が容易となる。
【００１１】
本発明の好ましい他の一態様によれば、前記第２開口部は前記第１開口部よりも上に位置している。側面視において、前記フランジ板の下端部から前記第２開口部の軸線までの距離は、前記第２開口部の開口面から前記第１開口部の軸線までの距離よりも長い。
【００１２】
既存の本管を新しい本管に取り換え、支管を介して新しい本管と既存の取付け管とを繋げた後に、新しい本管、既存の取付け管および支管を土砂等で埋める。このとき、側面視において、フランジ板の下端部から第２開口部の軸線までの距離が、第２開口部の開口面から第１開口部の軸線までの距離よりも短い、すなわち、支管の高さが低いと、支管の第２開口部と本管との間の空間が狭くなるため、その空間に土砂等を埋めにくい。そして、上記空間がある状態で作業が完了すると、支管の上からかかる荷重等に起因して、本管、取付け管および支管が破損するおそれがある。しかし、本発明の支管のように、側面視において、フランジ板の下端部から第２開口部の軸線までの距離を第２開口部の開口面から第１開口部の軸線までの距離よりも長くする、すなわち、支管の高さを高くすることによって、支管の第２開口部と本管との間の空間が広くなるため、その空間に土砂等を埋めることが容易になる。このことによって、上記空間がなくなり、支管の上からかかる荷重等によって、本管、取付け管および支管が破損することを防ぐことができる。また、このことによって、地盤の陥没が好適に生じにくくなる。
【００１３】
本発明の排水配管構造は、上述した何れかの支管と、下流に向けて下方に傾斜するように配置され、前記支管のフランジ板の下面に沿うように配置され、前記フランジ板の孔と繋がる孔が形成された本管と、前記支管を介して前記本管と接続された取付け管と、を備えている。
【００１４】
このことによって、本発明の支管を利用した排水配管構造を提供することができる。
【００１５】
本発明の好ましい一態様によれば、平面視において、前記支管の第２開口部の中心と前記取付け管の端面の中心との間に、前記本管の軸線が位置する。
【００１６】
平面視において、本管を中心としたとき、取付け管が位置している側と反対側の空間は、取付け管が位置していないため、作業スペースが確保されている。よって、この空間を利用して、本管に支管を容易に接続することができる。
【００１７】
本発明の好ましい他の一態様によれば、前記第２開口部の軸線と前記本管の軸線とは略平行である。
【００１８】
このように、支管の第２開口部の軸線と本管の軸線とは略平行であるため、支管の第２開口部の開口面は、本管の長さ方向に向いている。そのため、支管の第２開口部の開口面は、上述した既存の本管を取り出すための空間において、上記空間の側面に向かうような位置にはならない。よって、支管と取付け管との接続が容易となる。したがって、既存の本管を新しい本管に取り換える際、本管と支管とを接続した後の支管と取付け管との接続が容易となる。
【００１９】
本発明の好ましい他の一態様によれば、前記排水配管構造は、前記支管の第２開口部と前記取付け管とを繋ぐ筒状の継手を備えている。前記継手は、前記支管の第２開口部と接続された支管側開口部と、前記取付け管と接続された取付け管側開口部と、前記支管側開口部と前記取付け管側開口部とを繋ぐ継手筒状部と、を備えている。
【００２０】
従来では、取付け管の差口の軸と従来の支管における受口の軸とは略一致していたため、ヤリトリ型接合部材を介して取付け管と従来の支管とを接続していた。このヤリトリ型接合部材は、従来公知のものである。ヤリトリ型接合部材は、特殊な部材であるため、ヤリトリ型接合部材を使用するためには、作業スペースを確保する必要があり、取付け管と従来の支管とを接続することが容易ではなかった。しかし、本発明において、支管の第２開口部の開口面は、本管の長さ方向に向いているため、取付け管の差口の軸と支管の第２開口部の軸とは一致しない。そのため、上記ヤリトリ型接合部材を使用せずに、本発明の継手を使用することができる。その結果、従来に比べて、取付け管と支管とを繋ぐことが容易である。
【００２１】
本発明の支管の接続方法は、上述した何れかの支管を使用して、本管および取付け管を接続する方法である。この支管の接続方法では、既存の本管の上にある土砂を取り除く工程と、前記既存の本管から前記既存の本管に接続された取付け管の一部を切り離す工程と、前記既存の本管を取り除き、新しい本管を配置する工程と、前記新しい本管に形成された孔に、前記支管のフランジ板の下面を配置する工程と、前記支管の第２開口部と筒状に形成された継手を接続し、前記継手と前記取付け管とを接続する工程と、を行う。
【００２２】
このことによって、既存の本管を新しい本管に取り換え、本発明の支管を介して新しい本管と既存の取付け管とを容易に接続することが可能な支管の接続方法を提供することができる。
【発明の効果】
【００２３】
本発明によれば、既に施工された本管を新しい本管に取り換える際、容易に本管と取付け管とを接続することができる支管、それを備えた排水配管構造および支管の接続方法を提供することができる。
【図面の簡単な説明】
【００２４】
【図１】実施形態に係る排水配管構造を示す側面図である。
【図２】本管を地中に埋設したときの状態を示す模式図である。
【図３】支管、本管および取付け管の接続の状態を示す図であり、図１の部分拡大図である。
【図４】本管に支管を配置した状態を示す支管の側面図である。
【図５】支管の正面図である。
【図６】支管の底面図である。
【図７】継手の側面図である。
【図８】既存の本管を新しい本管に取り換える手順を示す図である。
【図９】既存の本管を新しい本管に取り換える手順を示す図である。
【図１０】既存の本管を新しい本管に取り換える手順を示す図である。
【図１１】既存の本管を新しい本管に取り換える手順を示す図である。
【図１２】第１変形例に係る支管の側面図である。
【図１３】第２変形例に係る支管の側面図である。
【発明を実施するための形態】
【００２５】
以下、本発明の好適な実施形態について説明する。なお、本明細書において特に言及している事項以外の事柄であって本発明の実施に必要な事柄は、該分野における従来技術に基づく当業者の設計事項として把握され得る。本発明は、本明細書に開示されている内容と該分野における技術常識とに基づいて実施することができる。
【００２６】
＜実施形態＞
図１は、本実施形態に係る排水配管構造１を示す側面図である。なお、符号ＧＬは地表面を示している。また、図１における右側および左側を、それぞれ排水配管構造１の右側および左側とする。図１に示すように、排水配管構造１は、地中に埋設され、各家庭の排水等を流すための配管の構造である。排水配管構造１は、本管１０と、本管１０と接続された支管３０と、支管３０と接続された継手８０と、支管３０および継手８０を介して本管１０と接続された取付け管１５と、取付け管１５と接続されたます２５とを備えている。
【００２７】
ます２５は、いわゆる公共ますである。ます２５には、流入口２６および流出口２７が形成されている。流出口２７は流入口２６よりも低い位置に形成されている。本実施形態では、流入口２６と対向する位置に流出口２７が形成されている。流入口２６には流入管２２の下流端が接続され、流出口２７には流出管２３の上流端が接続されている。流入管２２は、家庭内の排水等をます２５に向かって導く配管である。流出管２３は、ます２５から取付け管１５および本管１０に向かって排水等を排出する配管である。流出管２３の下流端には、取付け管１５が接続されている。
【００２８】
取付け管１５は、流出管２３から流れる排水等を本管１０に導くための配管である。本実施形態では、取付け管１５は、直筒状である。しかし、取付け管１５は、一部が曲がっている曲筒状であってもよい。取付け管１５は、下流に向けて下方に傾斜するように配置されている。そのため、取付け管１５の下流端１７は、取付け管１５の上流端１６よりも下に位置している。取付け管１５の上流端１６には、流出管２３が接続されている。本実施形態では、取付け管１５の上流端１６の内側に流出管２３が嵌め込まれている。取付け管１５の下流端１７には、継手８０および支管３０を介して本管１０が接続されている。
【００２９】
本管１０は、取付け管１５から流れる排水等を集約するための配管である。図１では、本管１０に一つの取付け管１５が接続されているが、実際には複数の取付け管１５が本管１０に接続されている。本管１０は、取付け管１５よりも下に配置されている。すなわち、本管１０は、取付け管１５よりも地中の深い位置に配置されている。
【００３０】
本管１０は下流に向けて下方に傾斜するように配置されている。図２は、本管１０を地中に埋設したときの状態を示す模式図である。図２では、左側が上流を示し、右側が下流を示している。図２に示すように、本管１０は、右下に傾斜するように配置されている。本実施形態では、本管１０は直筒状であり、断面が円形状である。しかし、本管１０の形状は特に限定されない。本管１０には、孔１２が形成されている。孔１２は、取付け管１５から流れる排水等を本管１０内に導くための孔である。本管１０の孔１２の形状は特に限定されないが、本実施形態では、孔１２は円形状である。
【００３１】
次に、本実施形態に係る支管３０について説明する。図３は、支管３０、本管１０および取付け管１５の接続の状態を示す図であり、図１の部分拡大図である。図４は、本管１０に支管３０を配置した状態を示す支管３０の側面図である。図５は、支管３０の正面図である。図６は、支管３０の底面図である。
【００３２】
図３に示すように、本管１０と取付け管１５とは離れた位置に配置されている。支管３０は、本管１０と取付け管１５とを繋ぎ、取付け管１５から流れる排水等を本管１０へ導入する役割を担っている。支管３０は、本管１０と取付け管１５とを繋ぐ配管である。図４に示すように、支管３０は、フランジ板６０と、管状体４０とを備えている。
【００３３】
フランジ板６０は、本管１０に配置される板である。フランジ板６０の下面６１は本管１０に接触している。フランジ板６０は、本管１０の外周面に沿うようにして本管１０の上に配置されている。本実施形態では、図３に示すように、フランジ板６０の一部が本管１０の中心Ｃ１よりも上方に位置するように、フランジ板６０は本管１０に配置されている。詳しくは、支管３０のフランジ板６０は、フランジ板６０の周方向Ａ１の中心と本管１０の中心Ｃ１とを通る中心線Ｅ１と、本管１０の中心Ｃ１を通る鉛直線Ｅ２とのなす角が所定の角度Ｒとなるように、本管１０に配置されている。支管３０は、本管１０の中心Ｃ１を通る鉛直線Ｅ２を管頂として１２０°の間で本管１０に取り付けるのが好ましい。よって、角度Ｒは、鉛直線Ｅ２を管頂として１２０°の間の角度であるのが好ましい。例えば０°〜６０°である。このような範囲内でフランジ板６０を本管１０の上に配置するのは、本管１０内に流れる排水等が支管３０を介して取付け管１５に逆流することを確実に防止するためである。また、支管３０のフランジ板６０を本管１０の真上（Ｒ＝０°）に配置してもよい。しかし、支管３０を本管１０の真上に配置すると、本管１０に接続された支管３０と取付け管１５の下流端１７との距離が短くなってしまうため、作業スペースを確保しにくくなる。そのため、支管３０のフランジ板６０は、本管１０の真上から多少傾いた位置に配置することで、支管３０と取付け管１５の下流端１７との距離を少しでも長くして作業スペースを確保することが好ましい。また、本実施形態では、フランジ板６０は、本管１０の一部を覆うようにして配置されている。ただし、この本管１０のフランジ板６０に覆われる範囲は、特に限定されるものではない。
【００３４】
フランジ板６０の横断面は、本管１０の周方向Ａ１に沿った形状である。本実施形態では、本管１０は断面が円形状であるため、フランジ板６０は、周方向Ａ１の断面形状（横断面の形状）が本管１０に沿った円弧状に形成されている。フランジ板６０の横断面は、Ｃ字状になっている。フランジ板６０は、下向きに凹状となるように湾曲している。このように、フランジ板６０は、本管１０の形状に沿った形状に形成されていればよく、例えば、本管１０の断面が四角形状であれば、フランジ板６０は、周方向Ａ１の断面形状（横断面の形状）が本管１０に沿うように角を有する形状に形成される。また、図６に示すように、本実施形態に係るフランジ板６０は、中心線Ｅ１（図３参照）の方向から見たときに四角形状である。しかし、フランジ板６０の形状は、特に限定されない。例えば、フランジ板６０は、中心線Ｅ１の方向から見て円形状であってもよい。図４に示すように、フランジ板６０は、周方向Ａ１に沿った側端部６４を有している。
【００３５】
図６に示すように、フランジ板６０には、孔６２が形成されている。本管１０に支管３０のフランジ板６０を配置したとき、フランジ板６０の孔６２は、本管１０の孔１２（図２参照）と繋がる。すなわち、本管１０に支管３０を配置したとき、フランジ板６０の孔６２と本管１０の孔１２とは重なる。本実施形態では、フランジ板６０の中央部分に孔６２が形成されている。ただし、孔６２の形成されている位置は特に限定されず、例えば、孔６２の位置はフランジ板６０の右側部分または左側部分であってもよい。本実施形態では、フランジ板６０の孔６２は、円形状である。しかし、孔６２の形状は特に限定されるものではなく、孔６２は楕円形状であってもよい。フランジ板６０の孔６２の形状は、本管１０の孔１２と同じ形状であることが好ましい。
【００３６】
また、フランジ板６０の下面６１には、環状凸部６３が形成されている。環状凸部６３は、フランジ板６０の孔６２の外周に沿うようにしてフランジ板６０の下面６１に形成されている。環状凸部６３は、支管３０を本管１０に接続したとき、本管１０の孔１２の中に嵌め込まれる。そのため、支管３０を本管１０に接続する際に、環状凸部６３によって、本管１０における支管３０の位置決めがし易くなる。本実施形態では、フランジ板６０の孔６２の大きさは、本管１０の孔１２よりも小さい。なお、環状凸部６３は、本管１０の孔１２の外周に沿うようにして、本管１０に形成されていてもよい。この場合、フランジ板６０の孔６２の中に、環状凸部６３が嵌め込まれるため、フランジ板６０の孔６２の大きさは、本管１０の孔１２よりも大きい。
【００３７】
なお、支管３０のフランジ板６０と本管１０とを取り付ける方法は、特に限定されるものではなく、従来公知の方法で取り付けることができる。例えば、本管１０の所定位置にホルソー等を用いて孔１２を形成する。そして、本管１０の孔１２に支管３０の孔６２が重なるようにして本管１０に支管３０を配置し、接合材と番線とを用いて本管１０と支管３０とを取り付けることができる。
【００３８】
支管３０の管状体４０は、排水等が流れる管路である。図４に示すように、支管３０の側面視において、管状体４０は、フランジ板６０よりも上に位置している。また、図１に示すように、排水配管構造１において、管状体４０は、本管１０の右斜め上に位置している。本実施形態では、管状体４０およびフランジ板６０は一体成形されている。管状体４０は、第１開口部５０と、第２開口部５５と、筒状部４３とを備えている。
【００３９】
第１開口部５０は、フランジ板６０に繋がっている。詳しくは、図６に示すように、第１開口部５０は、フランジ板６０の孔６２の外周部分に繋がっている。第１開口部５０は、フランジ板６０の孔６２の外周部分から立ち上がっている。図４に示すように、第１開口部５０は、フランジ板６０よりも上に位置している。本実施形態では、第１開口部５０は、フランジ板６０の周方向Ａ１と直交する方向Ｂ１に対して直交している。すなわち、第１開口部５０の軸線Ｌ１とフランジ板６０の周方向Ａ１と直交する方向Ｂ１とは、直交している。また、第１開口部５０の軸線Ｌ１は、本管１０の長さ方向に対して直交している。すなわち、第１開口部５０の軸線Ｌ１は、本管１０の軸線Ｌ３に対して直交している。本実施形態では、第１開口部５０の開口の大きさは、フランジ板６０の孔６２と同じ大きさである。しかし、第１開口部５０の開口の大きさは、フランジ板６０の孔６２よりも小さくてもよいし、大きくてもよい。
【００４０】
第２開口部５５は、継手８０を介して取付け管１５と接続している。本実施形態では、図３に示すように、取付け管１５は本管１０よりも上に位置しているため、第２開口部５５は本管１０と繋がる第１開口部５０よりも上に位置している。また、第２開口部５５は、フランジ板６０よりも上に位置している。図５に示すように、第２開口部５５は、開口面５７を有している。
【００４１】
図４に示すように、第２開口部５５の軸線Ｌ２とフランジ板６０の周方向Ａ１に直交する方向Ｂ１とは略平行である。第２開口部５５の軸線Ｌ２とフランジ板６０の横断面に直交する方向Ｂ１とは略平行である。すなわち、第２開口部５５の軸線Ｌ２と本管１０の軸線Ｌ３とは略平行である。換言すると、第２開口部５５の軸線Ｌ２と本管１０の長さ方向とは略平行である。また、本実施形態では、第２開口部５５の軸線Ｌ２と第１開口部５０の軸線Ｌ１とは略直交している。そして、第２開口部５５の開口面５７を含む仮想面ＶＤ２とフランジ板６０の周方向Ａ１に直交する方向Ｂ１とは略直交している。また、支管３０の側面視において、フランジ板６０の下端部６５から第２開口部５５の軸線Ｌ２までの距離Ｄ１は、第２開口部５５の開口面５７から第１開口部５０の軸線Ｌ１までの距離Ｄ２よりも長い。本実施形態では、第２開口部５５の開口面５７とフランジ板６０の側端部６４とは略平行である。すなわち、第２開口部５５の開口面５７を含む仮想面ＶＤ２と、フランジ板６０の周方向Ａ１と平行な仮想面ＶＤ１とは略平行である。支管３０の開口面５７は、本管１０の横断面と略平行である。
【００４２】
筒状部４３は、第１開口部５０と第２開口部５５とを繋ぐものである。そのため、筒状部４３の一端は第１開口部５０に繋がっており、筒状部４３の他端は第２開口部５５に繋がっている。筒状部４３は、筒状に形成されている。本実施形態では、筒状部４３の断面は円形状である。しかし、筒状部４３の断面の形状は特に限定されない。また、筒状部４３は曲がっている。詳しくは、筒状部４３は湾曲している。換言すると、筒状部４３の軸線は曲線である。本実施形態では、筒状部４３の全体が９０度湾曲しており、その湾曲している箇所は１箇所である。
【００４３】
本実施形態では、管状体４０は一体成形されている。すなわち、管状体４０の筒状部４３、第１開口部５０および第２開口部５５は一体成形されている。しかし、管状体４０の筒状部４３、第１開口部５０および第２開口部５５は、それぞれ別体で形成したものであってもよいし、筒状部４３、第１開口部５０および第２開口部５５のうち、一部のみを一体成形したものであってもよい。
【００４４】
図３に示すように、本実施形態の継手８０は、支管３０と取付け管１５と繋ぐものである。詳しくは、継手８０は、支管３０の第２開口部５５と取付け管１５とを繋いでいる。継手８０は、筒状である。図７は、本実施形態の継手８０の側面図であり、図１の左斜め下から見た図である。図７に示すように、継手８０は、支管側開口部８２と、取付け管側開口部８４と、継手筒状部８６と、を備えている。
【００４５】
支管側開口部８２は、支管３０の第２開口部５５と接続している。本実施形態では、支管３０の第２開口部５５の内側に、継手８０の支管側開口部８２を嵌め込むことによって、支管３０と継手８０とを接続している。本実施形態では、支管３０の第２開口部５５が受口であり、継手８０の支管側開口部８２が差口である。そのため、継手８０の支管側開口部８２の開口の大きさは、支管３０の第２開口部５５の開口の大きさよりも小さい。なお、継手８０の支管側開口部８２と支管３０の第２開口部５５とを接続する方法は特に限定されず、継手８０の支管側開口部８２の内側に支管３０の第２開口部５５を嵌め込むようにしてもよい。すなわち、支管３０の第２開口部５５が差口であり、継手８０の支管側開口部８２が受口でもよい。
【００４６】
取付け管側開口部８４は、取付け管１５と接続している。詳しくは、取付け管側開口部８４は、取付け管１５の下流端１７と接続している。本実施形態では、継手８０の取付け管側開口部８４の内側に、取付け管１５の下流端１７を嵌め込むことによって、継手８０と取付け管１５とを接続している。本実施形態では、継手８０の取付け管側開口部８４が受口であり、取付け管１５の下流端１７が差口である。そのため、継手８０の取付け管側開口部８４の開口の大きさは、取付け管１５の下流端１７の開口の大きさよりも大きい。なお、継手８０の取付け管側開口部８４と取付け管１５の下流端１７とを接続する方法は特に限定されず、取付け管１５の下流端１７の内側に継手８０の取付け管側開口部８４を嵌め込むようにしてもよい。すなわち、継手８０の取付け管側開口部８４が差口であり、取付け管１５の下流端１７が受口である。
【００４７】
継手筒状部８６は、支管側開口部８２と取付け管側開口部８４と繋いでいる。継手筒状部８６の一部は曲がっている。本実施形態では、継手筒状部８６の一部は湾曲している。ただし、継手筒状部８６は、支管側開口部８２と取付け管側開口部８４とを繋ぐものであれば、継手筒状部８６は直筒状であってもよいし、一部が屈曲していてもよい。本実施形態では、継手筒状部８６の断面は円形状である。
【００４８】
なお、本実施形態では、本管１０、取付け管１５、支管３０および継手８０は樹脂製である。すなわち、支管３０の管状体４０およびフランジ板６０は樹脂製であり、管状体４０の筒状部４３、第１開口部５０および第２開口部５５は樹脂製であり、継手８０の支管側開口部８２、取付け管側開口部８４および継手筒状部８６は樹脂製である。しかし、本管１０、取付け管１５、支管３０および継手８０は、樹脂以外の材料によって構成されていてもよいし、一部のみが樹脂製であってもよい。
【００４９】
次に、本実施形態の排水配管構造１において、排水の流れについて簡単に説明する。先ず、図１に示すように、家庭から流れる排水が流入管２２を介して、ます２５に導入される。その後、排水はます２５に接続された流出管２３に流れる。排水は、流出管２３を流れた後、流出管２３に接続された取付け管１５に導入される。そして、取付け管１５が下流に向けて傾斜するように配置されているために、取付け管１５に導入された排水は、取付け管１５の上流端１６から下流端１７へ向けて流れる。そして、取付け管１５の下流端１７へ流れた排水は、継手８０および支管３０を介して、本管１０内に導入される。本管１０内に導入された排水は、本管１０が下流に向けて傾斜するように配置されているために、本管１０の上流側から下流側（図２では右方）に向けて流れる。
【００５０】
ところで、地中に埋設された排水配管構造の本管は、埋設時に勾配が設けられるが、地震等に起因する地盤変動によって、本管の勾配がなくなったり、本管に設けられた勾配が逆になる、すなわち、本管の傾斜が上流に行くほど下方に向かうようになるおそれがある。また、経年劣化等によって既存の本管が破損するおそれがある。このことによって、既存の本管の中を流れる排水等が上流から下流へ向けて流れにくくなること、または、排水等が既存の本管の下流から上流へ向けて逆流することが考えられる。このような場合、既存の本管を新しい本管へ取り換える必要がある。この本管を取り換える方法としては、先ず、取り換えたい既存の本管の上の土砂を取り除くことで、取り換えたい既存の本管の上に空間を形成する。そして、既存の本管から既存の取付け管の一部を切り離し、既存の本管を新しい本管に取り換える。このとき、新しい本管と既存の取付け管とを接続することを行わなければならない。そこで、新しい本管と既存の取付け管とを接続する際に、本発明の支管を利用する。
【００５１】
次に、既存の本管を新しい本管に取り換えた際、本実施形態に係る支管３０を利用して、新しい本管と既存の取付け管とを接続する方法について説明する。図８〜図１１は、既存の本管１１０から新しい本管１２０へ取り換える手順を示した図である。なお、図８〜図１１では、取り換えたい既存の本管１１０または新しい本管１２０のみを示しているが、実際には複数の本管が本管の長手方向に連なっている。また、新しい本管１２０は、上述した本管１０と同様のものである。
【００５２】
先ず、既存の本管１１０の上にある土砂を取り除く工程を行う。図８に示すように、取り換えたい既存の本管１１０の上にある土砂を取り除いて、空間Ｓを形成する。この空間Ｓは、作業にかかる時間および作業にかかる費用を考慮して、平面視において、取り換えたい既存の本管１１０よりも多少広い幅の空間であることが好ましい。例えば、空間Ｓの幅Ｗは、１，０００ｍｍ程度である。詳しくは、既存の本管１１０の軸線から、径方向（図８では左右方向）へそれぞれ５００ｍｍ程度の幅を有する空間Ｓである。なお、既存の本管１１０には、従来の引用文献１に記載されたような９０°支管１３０を介して、既存の取付け管１１５が接続されている。既存の取付け管１１５は、上述した取付け管１５と同様のものである。
【００５３】
取り換えたい既存の本管１１０の上の土砂を取り除いた後、次に、取り換えたい既存の本管１１０を地上へ取り出すために、既存の本管１１０から既存の取付け管１１５の一部を切り離す工程を行う。この工程では、空間Ｓ内にある既存の取付け管１１５の一部を切断するが、その切断方法は特に限定されず、従来公知の方法で切断すればよい。本実施形態では、位置Ｐで既存の取付け管１１５を切断している。
【００５４】
次に、取り換えたい既存の本管１１０を取り除き、図９に示すように、新しい本管１２０を配置する工程を行う。この工程では、先ず、取り換えたい既存の本管１１０を空間Ｓから地上へ取り出す。このとき、この取り除いた既存の本管１１０には、９０°支管１３０が接続されたままである。よって、９０°支管１３０も新しい支管へと取り換える。次に、新しい本管１２０にホルソー等を用いて孔１２を形成する。孔１２を形成する箇所は特に限定されず、支管３０および継手８０の形状を考慮し、継手８０および支管３０を介して新しい本管１２０と既存の取付け管１１５とを接続することを想定した上で、孔１２を形成する本管１０の箇所を決定する。そして、既存の本管１１０を取り除いた後、新しい本管１２０を空間Ｓ内に配置する。このとき、新しい本管１２０に形成された孔１２が新しい本管１２０の軸線よりも上に向くように、新しい本管１２０を空間Ｓ内に配置する。すなわち、平面視において、孔１２が見えるようにして新しい本管１２０を空間Ｓ内に配置する。
【００５５】
次に、図１０に示すように、新しい本管１２０に、本実施形態の支管３０を配置する工程を行う。この工程では、新しい本管１２０の孔１２の周囲に、本実施形態の支管３０のフランジ板６０の下面６１を接続する。このとき、新しい本管１２０の孔１２（図９参照）と、支管３０のフランジ板６０の孔６２（図６参照）とは重なっている。なお、支管３０と新しい本管１２０とを取り付ける方法は、特に限定されるものではなく、上述したような従来公知の方法で取り付けることができる。例えば、接合材と番線とを用いて新しい本管１２０と支管３０とを取り付けることができる。
【００５６】
本実施形態では、図１０に示すように、支管３０と既存の取付け管１１５との間には、隙間がある。すなわち、平面視において、支管３０の第２開口部５５の中心と既存の取付け管１１５の端面の中心Ｃ２との間に、新しい本管１２０の軸線Ｌ３が位置している。この状態では支管３０と既存の取付け管１１５とを接続することはできない。そこで、図１１に示すように、継手８０を介して支管３０と既存の取付け管１１５とを接続する。ここでは、支管３０に継手８０を接続し、継手８０と既存の取付け管１１５とを接続する工程を行う。この工程では、先ず、新しい本管１２０に配置された支管３０に、継手８０を接続する。詳しくは、支管３０の第２開口部５５と継手８０の支管側開口部８２とを接続する。本実施形態では、支管３０の第２開口部５５の内側に、継手８０の支管側開口部８２を嵌め込むことによって、支管３０と継手８０とを接続する。
【００５７】
支管３０と継手８０とを接続した後、継手８０と既存の取付け管１１５とを接続する。詳しくは、継手８０の取付け管側開口部８４と既存の取付け管１１５の下流端（既存の取付け管１１５を切断した位置Ｐに位置する端部）とを接続する。本実施形態では、継手８０の取付け管側開口部８４の内側に、既存の取付け管１１５の下流端を嵌め込むことによって、継手８０と既存の取付け管１１５とを接続する。このような手順によって、新しい本管１２０と既存の取付け管１１５とを接続する。
【００５８】
最後に、新しい本管１２０、既存の取付け管１１５、支管３０および継手８０の上に土砂を被せ、空間Ｓを埋める。以上が、既存の本管１１０を新しい本管１２０に取り換えた際、本実施形態における支管３０を利用して、新しい本管１２０と既存の取付け管１１５とを接続する方法である。
【００５９】
本実施形態では、新しい本管１２０と既存の取付け管１１５とを接続する際に、新しい本管１２０と支管３０とを接続し、支管３０と継手８０とを接続し、最後に継手８０と既存の取付け管１１５とを接続したが、その接続する手順は特に限定されない。図示されていないが、既存の取付け管１１５に継手８０を接続し、継手８０を支管３０に接続し、最後に支管３０に新しい本管１２０を接続してもよい。また、既存の取付け管１１５に継手８０を接続した後に、新しい本管１２０と支管３０とを接続し、その後、支管３０と継手８０とを接続するような手順でもよい。この手順の場合、継手８０の支管側開口部８２の位置を事前に特定することができるため、支管３０の位置や新しい本管１２０の孔１２の位置が決め易い。よって、新たな継手などの部材を使うことなく、新しい本管１２０と既存の取付け管１１５とを接続することができる。
【００６０】
本実施形態では、図４に示すように、支管３０の第２開口部５５の軸線Ｌ２とフランジ板６０の横断面（周方向Ａ１）に直交する方向Ｂ１とは略平行である。また、支管３０の第２開口部５５の軸線Ｌ２と本管１０の軸線Ｌ３とは略平行である。図８に示すように、既存の本管１１０を新しい本管１２０（図１０参照）に取り換える際、既存の本管１１０を取り出すために、既存の本管１１０上の土砂等を取り除いて空間Ｓを作る必要があり、この空間Ｓは、平面視において、既存の本管１１０よりも多少広い大きさ（幅Ｗ）であることが好ましい。このような空間Ｓで既存の本管１１０を新しい本管１２０に取り換えたあと、従来の９０°支管１３０（図８参照）を新しい本管１２０に接続すると、９０°支管１３０における既存の取付け管１１５との接続部分が空間Ｓの側面近傍に位置するため、９０°支管１３０を既存の取付け管１１５に接続しにくい。しかし、本実施形態の支管３０を新しい本管１２０に接続した場合、支管３０の第２開口部５５と本管１０（新しい本管１２０）の軸線Ｌ３（図４参照）とは略平行であるため、図１０に示すように、支管３０の開口面５７は、新しい本管１２０の長さ方向に向いている。そのため、既存の取付け管１１５と接続する第２開口部５５の開口面５７は、空間Ｓの側面に向かうような位置にはならない。本実施形態では、支管３０の開口面５７が空間Ｓの側面に対して９０度になっている。よって、支管３０と既存の取付け管１１５との接続が容易となる。したがって、新しい本管１２０に既存の取付け管１１５を接続する作業を容易に行うことができる。
【００６１】
また、本実施形態では、図４に示すように、支管３０の第１開口部５０と第２開口部５５とを繋ぐ筒状部４３は湾曲している。このことによって、筒状部４３の内部は滑らかになっている。そのため、本実施形態の支管３０は、屈曲した筒状部を有する支管と比べて、支管の中を流れる排水等が流れ易くなる。また、支管３０の筒状部４３が湾曲しているため、撓り易い。そのため、支管３０を取り換えるとき、その撓りを利用することで、本管１０等から支管３０を取り外すこと、および、支管３０を本管１０等に接続することが容易にできる。また、取付け管１５、支管３０および本管１０内の維持管理を行う際、カメラ等の維持管理用具をます２５（図１参照）から挿入し、取付け管１５、支管３０および本管１０等の内部を確認することがある。このとき、支管３０の筒状部４３が湾曲しているため、支管３０内で維持管理用具が引っ掛かることを防ぐことができ、維持管理用具の挿抜が容易となる。
【００６２】
本実施形態では、支管３０の側面視において、支管３０のフランジ板６０の下端部６５から第２開口部５５の軸線Ｌ２までの距離Ｄ１は、支管３０の第２開口部５５の開口面５７から第１開口部５０の軸線Ｌ１までの距離Ｄ２よりも長い。図１１に示すように、既存の本管１１０を新しい本管１２０に取り換え、支管３０を介して新しい本管１２０と既存の取付け管１１５とを繋げた後に、新しい本管１２０、既存の取付け管１１５および支管３０を土砂等で埋める。このとき、図４に示すように、支管３０の側面視において、支管３０におけるフランジ板６０の下端部６５から第２開口部５５の軸線Ｌ２までの距離Ｄ１が、支管３０の第２開口部５５の開口面５７から第１開口部５０の軸線Ｌ１までの距離Ｄ２よりも短いと、支管３０の第２開口部５５と新しい本管１２０との間の空間が狭くなるため、その空間に土砂等が埋まりにくい。そして、上記空間に土砂等が埋められていない状態にすると、支管３０の上からかかる荷重等に起因して、新しい本管１２０および支管３０が破損するおそれがる。しかし、本実施形態の支管３０のように、支管３０の側面視において、フランジ板６０の下端部６５から第２開口部５５の軸線Ｌ２までの距離Ｄ１を第２開口部５５の開口面５７から第１開口部５０の軸線Ｌ１までの距離Ｄ２よりも長くすることによって、支管３０の第２開口部５５と新しい本管１２０との間の空間が広くなるため、その空間に土砂等を埋めることが容易になる。このことによって、支管３０の上からかかる荷重等によって、新しい本管１２０および支管３０が破損することを防ぐことができる。また、このことによって、地盤の陥没が起きることを好適に防止することができる。
【００６３】
本実施形態では、支管３０の第２開口部５５の開口面５７とフランジ板６０の側端部６４とは略平行である。すなわち、支管３０の開口面５７は、本管１０の断面と略平行である。このことによって、図１０に示すように、支管３０の開口面５７は、空間Ｓの側面に向かうような位置にはならないため、空間Ｓ内で、支管３０と既存の取付け管１１５とを容易に接続することができる。
【００６４】
また、本実施形態では、支管３０のフランジ板６０および管状体４０は一体成形されている。フランジ板６０と管状体４０との間には継ぎ目がない。このことによって、支管３０の内部に流れる排水等が外部に漏れることをより確実に防ぐことができる。
【００６５】
本実施形態では、図１０に示すように、平面視において、支管３０の第２開口部５５の中心と既存の取付け管１１５（取付け管１５）の端面の中心との間に、新しい本管１２０（本管１０）の軸線Ｌ３が位置する。平面視において、新しい本管１２０を中心としたとき、既存の取付け管１１５が位置している側と反対側の空間は、既存の取付け管１１５が位置していないため、作業スペースが確保されている。よって上記空間を利用して、新しい本管１２０に支管３０を容易に接続することができる。
【００６６】
また、本実施形態では、図７に示すように、排水配管構造１は、支管３０の第２開口部５５と取付け管１５とを繋ぐ筒状の継手８０を備えている。継手８０は、支管３０の第２開口部５５と接続された支管側開口部８２と、取付け管１５と接続された取付け管側開口部８４と、支管側開口部８２と取付け管側開口部８４とを繋ぐ継手筒状部８６と、を備えている。従来では、取付け管１５の差口の軸と従来の支管における受口の軸とは略一致していたため、ヤリトリ型接合部材を介して取付け管１５と従来の支管とを接続していた。このヤリトリ型接合部材は、特殊な部材であるため、ヤリトリ型接合部材を使用するためには、作業スペースを確保する必要があり、取付け管１５と従来の支管とを接続することが容易ではなかった。しかし、本実施形態では、支管３０の第２開口部５５の開口面５７は、本管１０の長さ方向に向いているため、取付け管１５の下流端１７の軸と支管の第２開口部５５の軸とは一致しない。そのため、上記ヤリトリ型接合部材を使用せずに、本実施形態の継手８０を使用することができる。その結果、従来に比べて、取付け管１５と支管３０とを繋ぐことが容易である。
【００６７】
＜変形例＞
上記実施形態では、支管３０の筒状部４３は湾曲していた。しかし、本発明の支管は、上記実施形態の支管３０に限定されず、以下に示す第１変形例に係る支管３０Ａ、または、第２変形例に係る支管３０Ｂであってもよい。
【００６８】
図１２は、第１変形例に係る支管３０Ａの側面図である。図１２に示すように、第１変形例に係る支管３０Ａでは、管状体４０Ａの筒状部４３Ａは、軸線が直線な直筒状である。そして、筒状部４３Ａの一端には、第１開口部５０が形成されており、筒状部４３Ａの他端には、第２開口部５５が形成されている。なお、第１変形例に係る支管３０Ａは、筒状体４０Ａの筒状部４３Ａ以外の構成は、上記実施形態の支管３０と同様の構成のため、その説明は省略する。
【００６９】
図１３は、第２変形例に係る支管３０Ｂの側面図である。図１３に示すように、第２変形例に係る支管３０Ｂでは、管状体４０Ｂの筒状部４３Ｂは、一部が屈曲している。筒状部４３Ｂの軸線は略直角に曲がっている。そして、筒状部４３Ｂの一端には、第１開口部５０が形成されており、筒状部４３Ｂの他端には、第２開口部５５が形成されている。なお、第２変形例に係る支管３０Ｂは、筒状体４０Ｂの筒状部４３Ｂ以外の構成は、上記実施形態の支管３０と同様の構成のため、その説明は省略する。
【００７０】
また、本発明の支管は、筒状部の一部が湾曲し、かつ、筒状部の一部が屈曲しているようなものであってもよいし、筒状部が湾曲し、その湾曲している箇所が２か所以上であってもよい。
【００７１】
上記実施形態では、支管３０の管状体４０とフランジ板６０とは一体で形成されていた。しかし、支管３０の管状体４０とフランジ板６０とは別体で形成されていてもよい。管状体４０とフランジ板６０とを別体で形成する場合、支管３０の中を流れる排水等が外部に漏れないように、管状体４０とフランジ板６０との間にシール部材を配置することが好ましい。
【００７２】
上記実施形態では、排水配管構造１は、各家庭の排水等を流すための配管の構造であった。しかし、本発明の排水配管構造に流れる水は、各家庭の排水等に限定されない。例えば、本発明の排水配管構造は、雨水等の汚水を流すための配管の構造であってもよい。
【符号の説明】
【００７３】
１  排水配管構造
１０  本管
１５  取付け管
３０、３０Ａ、３０Ｂ  支管
４０、４０Ａ、４０Ｂ  管状体
４３、４３Ａ、４３Ｂ  筒状部
５０  第１開口部
５５  第２開口部
５７  開口面
６０  フランジ板
６２  孔
８０  継手
【図１】
2014139386.tif 000003
【図２】
2014139386.tif 000004
【図３】
2014139386.tif 000005
【図４】
2014139386.tif 000006
【図５】
2014139386.tif 000007
【図６】
2014139386.tif 000008
【図７】
2014139386.tif 000009
【図８】
2014139386.tif 000010
【図９】
2014139386.tif 000011
【図１０】
2014139386.tif 000012
【図１１】
2014139386.tif 000013
【図１２】
2014139386.tif 000014
【図１３】
2014139386.tif 000015